(57)【要約】 【課題】  花粉症の症状を抑えるためやインフルエンザを防ぐためにマスクを着用すると鼻と口の両方を塞いでしまい息が苦しくて、会話が不便で、めがねを着用していると曇り、人相を隠してしまい美的感覚からも良くなく、衛生上から使い捨てを要求されて不便である問題を解消するために使い捨てでなく殺菌効果のあり見た目にも目立たない鼻腔内装着の鼻腔栓を提供する。【解決手段】  日本人の鼻腔の形にあった鼻腔栓本体を形成し、その通気穴に硬質銅の極細繊維のフィルターを充填してその銅繊維の美塾名電位差の殺菌効果で花粉症やインフルエンザの原因となる花粉、空気中の浮遊物資手、ウイルス等を捕獲、不活性化して症状の低減や予防に効果があり、また本体に医療用のシリコンゴムを使用することで煮沸消毒が可能になり清潔な状態で繰り返し利用できる鼻腔内装着用の鼻腔栓である【選択図】図１
2011078488.tif 000002
【特許請求の範囲】
【請求項１】
医療用のシリコンゴムやプラスティック等で、備考の形に合うように本体を成型され、本体の通気穴にフィルターとして硬質銅の極細繊維を用いて充填したことを特徴とし、前記本体とフィルターを消毒して繰り返し使用可能な鼻腔内装着鼻栓。  
【発明の詳細な説明】
【技術分野】
【０００１】
この発明は銅の殺菌作用に注目し、硬質銅の極細繊維の中を空気が通過する時に空気中の細菌やウイルス、花粉が銅繊維に接し、又は繊維間の空間を通り抜ける時に銅繊維から発生する微弱な電位差によって不活性化させることで花粉症の症状を低減し、又はインフルエンザにかかりにくくすることができる健康に資する分野に属するものであり、また医療用のシリコンゴム等を利用することで煮沸消毒が可能で繰り返し利用できる鼻腔内装着用の鼻腔栓である。
【背景技術】
【０００２】
従来の技術は一般的なマスクによって花粉症の原因と推測される大気中の浮遊物質や杉、ヒノキ、ブタクサ等の花粉が鼻腔に入るのを防ぎ、同じくインフルエンザの原因となるウイルスの進入をサージカルマスク等でふせいでいた。
またこれらのマスクは繰り返し使用することは非衛生的で、使い捨てにも厳密な管理が要求され、かえって不経済であった。
【先行技術文献】
【特許文献】
【０００３】
【特許文献１】特開２００５−２８７６３０号公報
【特許文献２】特開平０９−２３９０４７号公報  上記特許文献１に記載の発明ではフィルター自体に殺菌効果が無く鼻腔をふさいでしまって息苦しいだけで使用時に不都合が生じることのほうが多かった。特許文献２に記載の発明では疎水性の樹脂製多孔質膜を使用することを特徴としているが空気が通ることと空気中の微粒子、ウイルス、花粉を除去することには相反してフィルター以外の空間を通って呼吸してしまったうえ、目詰まりを起こしてしまい効果を発揮しにくく洗浄して再利用することが出来なかった。
【発明の概要】
【発明が解決しようとする課題】
【０００４】
花粉症の対策で、インフルエンザの予防でマスクを着用すると鼻と口の両方を塞いでしまい、息苦しく、会話が不便で、めがねを着用している人は曇る問題も抱えており、人相を隠してしまい、美的感覚からも良くないうえ、使用のたびに厳密な廃棄を求められている。
【０００５】
マスク着用時には完璧に肌に密着させないと隙間から花粉やウイルスが侵入して効果は限定的である。
【０００６】
本発明はマスク着用時の息苦しさや会話不能などの問題点を解決し、花粉やウイルスを捕獲、不活性化して尚且つ洗浄して繰り返して使用可能な鼻腔内装着用の鼻腔栓を提供することを目的とする。
【課題を解決するための手段】
【０００７】
前記課題を解決するために、本発明の鼻腔内装着用の鼻腔栓を医療用のシリコンゴム等で日本人の鼻腔の形状に合うように形成する。
【０００８】
成型された鼻腔栓は図１の様であるが、図３のＴの部分を鼻腔形状より少し高さを持たせて鼻腔を広げることで空気の流入量を増やし鼻呼吸をしやすくする。
【０００９】
図１の３の部分は鼻腔栓に開けられた通気穴でその内部に不織布状に構成された硬質銅の極細繊維を詰め込むことで空気の流入量を調整して、通過する空気中の花粉やウイルスを銅繊維から発生する微弱な電位差で捕獲し不活性化させることができる。
【００１０】
本考案の硬質銅の極細繊維としては２０ミクロンから１００ミクロンの直径のもので「カプロン  株式会社エスコ製品」として商品化されているものを一例として上げられる。
【発明の効果】
【００１１】
本発明の鼻腔栓は内部に充填される硬質銅の極細繊維の効果で花粉やウイルスを捕獲し不活性化させることにより、従来のマスクで実現できなかった殺菌効果を発揮できる。
【００１２】
マスクでは会話が不便で美的感覚にも優れないが、本発明では無職のシリコンゴムを本体に使用して形成することで見た目にも目立たず、鼻腔より少し高く成型された形状でより美しく見せることが出来る。
【００１３】
本発明に使用される医療用のシリコンゴムは２００℃まで耐久性があり、通常の使用後はフィルターとしての硬質銅の極細繊維とともに煮沸消毒を行って繰り返し使用できる。
【００１４】
フィルターとして内部充填された硬質銅の極細繊維の表面が酸化し効果が薄れてきたときはレモン汁や酢などの弱酸性の液で洗浄、還元することで再び初期の効果を発揮できる。
【００１５】
従って本発明の鼻腔栓を使用することによりマスク着用による不都合や不便を解消して花粉症の症状を低減し、インフルエンザの予防に役立てることが出来る。
【図面の簡単な説明】
【００１６】
【図１】本発明の一例を示す鼻腔栓の斜視図
【図２】同鼻腔栓の上面図
【図３】同鼻腔栓の正面図
【発明を実施するための形態】
【００１７】
図１のように医療用のシリコンゴムで成型される鼻腔栓は日本人のそれぞれの鼻腔の大きさにほぼ合うように形成される。
【００１８】
その寸法は図２で示す幅Ｗと奥行きＤ、図３で示す高さＴでサイズを変えて設計される。
【００１９】
図２の２で示す架橋部は本体と同じ透明の医療用シリコン又は医療用のステンレス線で加工される。
【００２０】
図１の３の通気穴に充填される硬質銅の極細繊維はその直径が４０ミクロンで７０ｍｍ程度の長さのものを無作為に積層して不織布状に形成し、それを適当なサイズに切断して通気穴に充填して圧縮されるものとする。
【実施例】
【００２１】
医療用シリコンゴムで形成される鼻腔栓は１ｍｍ程度の違いで１５種類ほど違うサイズで成型された。
【００２２】
鼻腔栓の成型されたサイズはＷ１６ｍｍＤ８ｍｍＴ７ｍｍ程度からＷ３０ｍｍＤ１７ｍｍＴ１８ｍｍ程度で日本人の大人の女性の平均的なサイズはＷ２４ｍｍＤ１４ｍｍＴ１４ｍｍであり、成型された通気穴の壁の厚みは２ｍｍ程度で鼻の軟骨を下から支え上げるように設計された。
【００２３】
硬質銅の極細繊維は直径４０ミクロンで長さ７０ｍｍの繊維を無作為に１ｍｍ程度の厚さになるように積層して１４ｍｍｘ２５ｍｍの方形に切り分けられて１４ｍｍの長さに丸められ鼻腔栓の通気穴に充填された後プラスティック棒などで通気穴の７５％程度まで圧縮されて固定された。
【００２４】
上記  鼻腔栓を鼻腔に挿入する前にスプレイ等で硬質銅の極細繊維を水分で湿らせることで表面から溶け出す銅イオンを鼻腔内に流入させることで鼻腔内部の殺菌、消毒が出来たうえ、繊維の表面の電位差を寄り多くすることでより効果を上げた。
【００２５】
使用後の鼻腔栓は本体とともに銅繊維も煮沸消毒して殺菌し、流水での洗浄で付着した花粉やウイルスを完全に除去して清潔で効果の高い状態に戻すことが出来た。
【００２６】
このように日々清潔な状態で使用していても銅繊維の表面に酸化皮膜できて効果が薄れてくると、レモン汁やお酢などの弱酸性の液体に浸すことでその酸化皮膜を還元して当初の効果を再現できた。
【産業上の利用可能性】
【００２７】
通気穴に充填される銅繊維の間にアロマテラピーに用いられる香料などを充填することにより屋外や事務所などの空間でも個人的な匂いを楽しめる器具としても有効である。
【符号の説明】
【００２８】
１  医療用シリコンゴムで成型された本体
２  両方の鼻腔栓をつなぐ架橋部
３  通気穴と充填される銅繊維
Ｗ  本体の幅
Ｄ  本体の奥行き
Ｔ  本体の高さ
【図１】
2011078488.tif 000003
【図２】
2011078488.tif 000004
【図３】
2011078488.tif 000005